(57)【要約】【課題】情報記録時における記録層内でのトラック横断方向への熱の広がりを抑制するのに適した熱アシスト磁気記録媒体、および、そのような熱アシスト磁気記録媒体を備える熱アシスト磁気記録装置を提供すること。【解決手段】本発明の熱アシスト磁気記録媒体１０は、記録層１２を有して情報記録時に回転動作を伴い、記録層１２は、並列して回転動作の回転中心まわりを延びる複数条の記録磁性部１２ａと、隣り合う記録磁性部１２ａの間に介在する非磁性部１２ｂとを含む。非磁性部１２ｂの熱伝導率は、記録磁性部１２ａの熱伝導率の１００分の１以下である。本発明の熱アシスト磁気記録装置Ｘは、このような熱アシスト磁気記録媒体１０と、熱アシスト磁気記録媒体１０に磁界を印加するための磁界印加手段と、熱アシスト磁気記録媒体１０を局所的に加熱するための加熱手段とを備える。【選択図】図２
2007134004.tif 000002
【特許請求の範囲】
【請求項１】
記録層を有して情報記録時に回転動作を伴う熱アシスト磁気記録媒体であって、
前記記録層は、並列して前記回転動作の回転中心まわりを延びる複数条の記録磁性部と、隣り合う記録磁性部の間に介在する非磁性部とを含み、
前記非磁性部の熱伝導率は、前記記録磁性部の熱伝導率の１００分の１以下である、熱アシスト磁気記録媒体。
【請求項２】
前記非磁性部の熱伝導率は、１×１０2〜１×１０5ｅｒｇ/(ｓ・ｃｍ・ｄｅｇ)である、請求項１に記載の熱アシスト磁気記録媒体。
【請求項３】
前記非磁性部は不透明である、請求項１または２に記載の熱アシスト磁気記録媒体。
【請求項４】
前記記録磁性部の厚さは７０μｍ以下である、請求項１から３のいずれか一つに記載の熱アシスト磁気記録媒体。
【請求項５】
請求項１から４のいずれか一つに記載の熱アシスト磁気記録媒体と、
前記熱アシスト磁気記録媒体に磁界を印加するための磁界印加手段と、
前記熱アシスト磁気記録媒体を局所的に加熱するための加熱手段と、を備える熱アシスト磁気記録装置。
【発明の詳細な説明】
【技術分野】
【０００１】
本発明は、情報記録時に熱アシストを伴う磁気記録媒体および磁気記録装置に関する。
【背景技術】
【０００２】
ハードディスクなどの記憶装置を構成するための記録媒体として、磁気ディスク（磁気記録媒体）が知られている。磁気ディスクは、ディスク基板と所定の磁性構造を有する記録層とを含む積層構造を有する。コンピュータシステムにおける情報処理量の増大に伴い、磁気ディスクについては高記録密度化の要求が高まっている。
【０００３】
磁気ディスクへの情報記録に際しては、磁気ディスクの記録面（実質的に記録層により構成される）に対して記録用の磁気ヘッドが近接配置され、当該磁気ヘッドにより、記録層に対し、その保磁力より強い記録磁界が印加される。磁気ディスクに対して磁気ヘッドを相対移動させつつ磁気ヘッドからの記録磁界の向きを順次反転させることにより、記録層において、磁化方向が順次反転する複数の記録マーク（磁区）が磁気ディスクの周方向ないしトラック延び方向に連なって形成される。このとき、記録磁界方向を反転させるタイミングが制御されることにより、各々に所定の長さで記録マークが形成される。このようにして、記録層において、磁化方向の変化として所定の信号ないし情報が記録される。
【０００４】
磁気ディスクの技術分野においては、記録層の保磁力が高いほど、記録層に形成される磁区の熱安定性が高く、微小ないし幅狭で安定した磁区を形成しやすいことが、知られている。記録層にて安定に形成され得る最小の磁区（最小記録マーク）が微小であるほど、磁気ディスクにおいて、より大きな記録密度を得ることが可能である。
【０００５】
磁気ディスクへの情報記録においては、上述のように、記録層の保磁力より強い記録磁界を印加しなければ適切に記録マークを形成することができない。そのため、記録層について設定される保磁力の増大に伴い、磁気ヘッドにより印加すべき記録磁界の強度を増大することが考えられる。しかしながら、磁気ヘッドにより印加できる記録磁界の強度については、例えば磁気ヘッドの構造や消費電力の観点から、制約を受ける。
【０００６】
そこで、磁気ディスクへの情報記録においては、いわゆる熱アシスト磁気記録方式が採用される場合がある。熱アシスト磁気記録方式で磁気ディスクに情報記録が実行される場合、例えば、回転する磁気ディスクの記録面に近接配置される所定の光学ヘッドからのレーザ照射により、磁気ディスクの記録層が局所的に順次加熱される。記録層において加熱により昇温した領域では、その周囲の非昇温領域よりも保磁力が低下する。そして、磁気ディスクの記録面に近接配置される磁気ヘッドにより、記録層の昇温領域の保磁力より強い記録磁界が当該昇温領域に印加され、当該昇温領域の一部が所定方向に磁化される。この磁化は、当該磁化箇所の冷却の過程で定着することとなる。熱アシスト磁気記録方式では、このようにして、磁化方向が順次反転し且つ記録信号に応じた所定の長さを各々が有する複数の記録マーク（磁区）が、ディスク周方向に延びるトラックに沿って形成される。熱アシスト磁気記録方式の磁気ディスクにおいては、記録層にて加熱により保磁力が低下された箇所に対する記録磁界印加により情報記録が実行されるため、情報保持時や情報再生時の常温での記録層の保磁力を高く設定する場合であっても、磁気ヘッドにより印加すべき記録磁界の強度を過度に増大する必要はない。このような熱アシスト磁気ディスクについては、例えば下記の特許文献１や特許文献２に記載されている。
【０００７】
【特許文献１】特開平６−２４３５２７号公報
【特許文献２】特開２００３−１５７５０２号公報
【発明の開示】
【発明が解決しようとする課題】
【０００８】
熱アシスト磁気ディスクの情報記録時に記録層における記録予定箇所を加熱すると、当該記録予定箇所とともにその周囲も有意に昇温する。一方、熱アシスト磁気ディスクにおいては、高記録密度化の観点からは記録層の保磁力は高い方が好ましく、記録層の保磁力が高いほど、情報記録時に際し、記録層に対する加熱の程度を強くする必要がある。しかしながら、従来の熱アシスト磁気ディスクでは、情報記録時に、加熱の程度が強すぎて記録層における所定温度以上の昇温範囲が広すぎると、記録マークが順次形成されているトラックの隣のトラックまで記録マーク幅が不当に広がることなどにより、当該隣のトラックの記録マークが少なくとも部分的に上書きされ、当該隣のトラックの記録マークが消失ないし劣化するという、クロスライト現象が生じる場合がある。クロスライト現象は、トラックの狭ピッチ化を阻害するので、磁気ディスクの高記録密度化の観点からは好ましくない。このように、従来の熱アシスト磁気ディスク（熱アシスト磁気記録媒体）は、記録密度を高めるうえで困難性を有する。
【０００９】
本発明は、以上のような事情の下で考え出されたものであり、情報記録時における記録層内でのトラック横断方向への熱の広がりを抑制するのに適した熱アシスト磁気記録媒体、および、そのような媒体を備える熱アシスト磁気記録装置、を提供することを目的とする。
【課題を解決するための手段】
【００１０】
本発明の第１の側面によると、記録層を有して情報記録時に回転動作を伴う熱アシスト磁気記録媒体が提供される。この熱アシスト磁気記録媒体において、記録層は、並列して回転動作の回転中心まわりを延びる複数条の記録磁性部と、隣り合う記録磁性部の間に介在する非磁性部とを含み、非磁性部の熱伝導率は、記録磁性部の熱伝導率の１００分の１以下である。
【００１１】
本熱アシスト磁気記録媒体では、記録磁性部に情報トラックが設定され、情報記録時には、所定の情報トラック（記録磁性部）に熱アシスト磁気記録方式で記録マークが順次形成される。記録層における、情報記録進行中であって局所的に順次加熱されている情報トラック（第１情報トラック）と、これと隣り合う別の情報トラック（第２情報トラック）との間には、情報トラック（記録磁性部）の熱伝導率の１００分の１以下の熱伝導率しか有さない非磁性部が介在する。そのため、第１情報トラックの昇温を目的として加熱手段により第１情報トラックに供給された熱の、第１情報トラックから第２情報トラックへの伝搬は、相当程度に抑制される。したがって、本磁気記録媒体によると、情報記録時に記録層内でのトラック横断方向への熱の広がりを適切に抑制することができるのである。
【００１２】
また、本磁気記録媒体では、情報記録時の記録層における、情報記録進行中であって磁界が順次印加される第１情報トラックと、これと隣り合う第２情報トラックとは、非磁性部により分断されている。したがって、第１情報トラックを対象として記録素子（磁界印加手段）により印加される記録磁界の、第２情報トラックへの影響は、相当程度に減弱される。第１情報トラックの信号を再生するときの、第２情報トラックに記録されている記録マークからの信号の漏れ込みという磁気的な影響も、相当程度に減弱される。
【００１３】
以上のような本磁気記録媒体は、クロスライト現象の発生を防止または抑制してトラックの狭ピッチ化ないし高記録密度化を図るうえで、好適である。
【００１４】
加えて、本磁気記録媒体においては、情報記録進行中であって局所的に順次加熱されている第１情報トラックから第２情報トラックへの熱伝搬が抑制されることを利用して、記録層において、非円形で矩形に近似する複数の等温線で表される温度分布を生じさせることが可能である。具体的には、本磁気記録媒体では、各等温線内の形状がトラック幅方向にもトラック延び方向にも直線的な複数の等温線で表され且つトラック幅全体にわたっては温度変化が少ない温度分布を、記録層において生じさせることが可能である。従来の熱アシスト磁気記録媒体では、情報記録時の記録層において、各々が円形の複数の等温線で表される温度分布が記録層において生じる。このような温度分布条件で情報トラックに対して順次記録磁界が印加されると、いわゆる矢羽形状の記録マークが情報トラックに沿って順次形成されることが知られている。これに対し、本発明の熱アシスト磁気記録媒体では、情報記録時の記録層において、上述のような矩形に近似する複数の等温線で表される温度分布を生じさせることができるため、矩形状の記録マークを情報トラックに沿って順次形成することができる。矩形状記録マークは、従来の矢羽状記録マークよりも、マーク遷移幅（トラック延び方向における事実上の記録マーク長）を微小化するうえで好適であり、従って、媒体の線記録密度（トラック延び方向における記録密度）を向上するうえで好適である。したがって、本磁気記録媒体は、記録マークを微小化して高記録密度化を図るうえで、好適なのである。
【００１５】
本発明の第２の側面によると熱アシスト磁気記録装置が提供される。この熱アシスト磁気記録装置は、第１の側面に係る上述の熱アシスト磁気記録媒体と、熱アシスト磁気記録媒体に磁界を印加するための磁界印加手段と、熱アシスト磁気記録媒体を局所的に加熱するための加熱手段と、を備える。
【００１６】
本発明の第１および第２の側面において、好ましくは、本熱アシスト磁気記録媒体の非磁性部の熱伝導率は、１×１０2〜１×１０5ｅｒｇ/(ｓ・ｃｍ・ｄｅｇ)〔エルグ／(秒・センチメートル・温度)〕である。このような構成は、非磁性部における熱伝搬抑制能を確保するうえで、好適である。
【００１７】
好ましくは、本熱アシスト磁気記録媒体の非磁性部は不透明である。情報記録時の照射レーザに対して非磁性部が過度の透過性を有すると、情報記録時の記録層において良好な温度分布を形成することができない場合がある。不透明な非磁性部は、情報記録時において、レーザ照射により局所的に加熱される記録層の正味の熱吸収率を確保して良好な温度分布を形成するうえで、好適である。
【００１８】
本熱アシスト磁気記録媒体の記録磁性部の厚さは好ましくは８０μｍ未満であり、より好ましくは７０μｍ以下である。このような構成は、情報記録時において、局所的に加熱される記録層の厚さ方向への過剰な熱伝搬を防止するうえで、好適である。
【００１９】
好ましくは、本熱アシスト磁気記録媒体において回転中心に近い非磁性部ほど、幅太である。このような構成は、非磁性部の上述の熱伝搬抑制能（隣の情報トラックへの熱伝搬を抑制する機能）について、回転中心に近い非磁性部ほど高く設定するうえで、好適である。熱アシスト磁気記録媒体の情報記録に際しては、記録が実行される情報トラックが媒体回転中心に近いほど、当該情報トラックないし記録層に対して単位時間あたりに供給される熱エネルギが大きい場合がある。このような場合には、上述の熱伝搬抑制能について、回転中心に近い非磁性部ほど高く設定するのが好ましいのである。
【００２０】
好ましくは、本熱アシスト磁気記録媒体において回転中心に近い非磁性部ほど、小さな熱伝導率を有する。このような構成は、回転中心に近い非磁性部ほど熱伝搬抑制能を高く設定するうえで、好適である。
【発明を実施するための最良の形態】
【００２１】
図１は、本発明に係る磁気ディスク装置Ｘの一部の構成を表す。磁気ディスク装置Ｘは、磁気ディスク１０および記録再生ヘッド２０を備え、熱アシスト磁気記録方式での情報記録と情報再生とを磁気ディスク１０について実行することができるように構成されている。
【００２２】
磁気ディスク１０は、図１に加えて図２および図３にも示すように、ディスク基板１１と、記録層１２と、保護層１３とを含む積層構造を有し、熱アシスト磁気記録方式による情報記録と情報再生とを実行可能な磁気記録媒体として構成されている。図２は、磁気ディスク装置Ｘの部分拡大断面図であり、磁気ディスク１０の所定の径方向部分断面と、磁気ディスク１０に対向する記録再生ヘッド２０の断面を表す。図３は、磁気ディスク装置Ｘの他の部分拡大断面図であり、磁気ディスク１０の所定の周方向部分断面と、磁気ディスク１０に対向する記録再生ヘッド２０の断面を表す。
【００２３】
ディスク基板１１は、主に、磁気ディスク１０の剛性を確保するための部位であり、例えば、アルミニウム合金、ガラス、または樹脂よりなる。
【００２４】
記録層１２は、図２に示すように、複数の記録磁性部１２ａおよび複数の非磁性部１２ｂよりなる。複数の記録磁性部１２ａは、磁気ディスク１０において情報が記録される箇所であり、磁気ディスク１０の回転中心Ａを共通中心としてディスク基板１１上にて同心円状に配置されている。すなわち、磁気ディスク１０では各記録磁性部１２ａに情報トラックが設定される。このような記録磁性部１２ａは、例えば、Ｃｏ合金、Ｆｅ合金、または希土類遷移金属アモルファス合金よりなる。また、記録磁性部１２ａの図２に示す幅Ｗ１は例えば１４０ｎｍ以下であり、記録磁性部１２ａないし記録層１２の厚さは好ましくは７０μｍ以下である。厚さ７０μｍ以下の記録磁性部１２ａは、磁気ディスク１０に対する情報記録時において、後述のように局所的に加熱される記録層１２の厚さ方向への過剰な熱伝搬を防止するうえで、好適である。情報記録時に記録層１２の厚さ方向へ過剰な熱伝搬が生ずると、記録層１２において良好な温度分布を形成するのが困難となる。一方、各非磁性部１２ｂは、記録磁性部１２ａ間に介在し、隣り合う記録磁性部１２ａを構造的に分断する。すなわち、複数の非磁性部１２ｂも、回転中心Ａを共通中心としてディスク基板１１上にて同心円状に配置されている。非磁性部１２ｂの熱伝導率は、記録磁性部１２ａの熱伝導率の１００分の１以下に設定され、例えば１×１０2〜１×１０5ｅｒｇ/(ｓ・ｃｍ・ｄｅｇ)である。非磁性部１２ｂの図２に示す幅Ｗ２は例えば３０〜１４０ｎｍである。このような非磁性部１２ｂは、例えばＳｉＯ2またはＳｉＮよりなり、好ましくは、非磁性部１２ｂの不透明性を確保するための遮光剤が添加されている。
【００２５】
保護層１３は、記録層１２を外界から物理的および化学的に保護するための部位であり、例えば、ＳｉＮ、ＳｉＯ2、またはダイアモンドライクカーボンよりなる。
【００２６】
このようなディスク基板１１、記録層１２、および保護層１３を含む磁気ディスク１０の積層構造中には、必要に応じて他の層が含まれてもよい。また、磁気ディスク１０は、図１に示すようにスピンドルモータ３１に支持され、スピンドルモータ３１が回転駆動することによって回転動作し得る。
【００２７】
記録再生ヘッド２０は、図３によく表れているように、スライダボディ２１と、集光レンズ２２と、記録素子２３と、再生素子２４とを有し、磁気ディスク装置Ｘによる情報記録および情報再生の実行時には、磁気ディスク１０の記録層１２に対向して配置される。
【００２８】
スライダボディ２１は、回転動作中の磁気ディスク１０において記録再生ヘッド２０に対向する箇所の線速度が所定以上であるときに、磁気ディスク１０と記録再生ヘッド２０との間に気体潤滑膜を生じさせるための所定の形状を有する。集光レンズ２２は、図外の光源から発せられたレーザＬを磁気ディスク１０の記録層１２にて集束させるためのものである。記録素子２３は、記録層１２に対して所定の記録磁界Ｈを印加するためのものであり、磁界発生用の電流を流すためのコイルと、発生磁界を強い磁界に変換するための磁極とからなる。記録素子２３による印加磁界強度および磁界印加タイミングは、図外の制御部からの所定の制御信号に基づいて制御される。再生素子２４は、記録層１２の磁化状態に由来する磁気信号を検知して電気信号に変換するためのものであり、例えばＧＭＲ素子やＴＭＲ素子により構成されている。
【００２９】
このような記録再生ヘッド２０は、板バネ状のサスペンションアーム３２（図１に示す）を介して、図外の記録再生ヘッド用アクチュエータに連結されている。このアクチュエータは、磁気ディスク１０に対する記録再生ヘッド２０の径方向位置を制御する機能を有し、例えばボイスコイルモータにより構成されている。サスペンションアーム３２は、記録再生ヘッド２０に対し、磁気ディスク１０に向けて付勢力を作用させるためのものである。
【００３０】
磁気ディスク装置Ｘにて磁気ディスク１０に対して情報記録を実行する際には、磁気ディスク１０を所定の一定速度で回転させた状態で、磁気ディスク１０に対して記録再生ヘッド２０を浮上配置させつつ、記録再生ヘッド用アクチュエータにより記録再生ヘッド２０を情報記録実行位置（記録再生ヘッド２０が目的の記録磁性部１２ａに対して図２に示すように対向する位置）に位置決め制御する。図３では、回転動作中の磁気ディスク１０に対する記録再生ヘッド２０の相対移動方向を矢印Ｄで表す。
【００３１】
本熱アシスト磁気記録においては、記録再生ヘッド２０の集光レンズ２２を通過して集束された所定パワーのレーザＬを、回転する磁気ディスク１０の記録層１２に向けて照射し続ける。図４（ａ）は、レーザ照射により記録層１２に生ずる面内方向の温度分布の一例を表す。図４の温度分布は、内側ほど高温に対応する複数の等温線により表されている。また、図４では、左側が、磁気ディスク１０に対する記録再生ヘッド２０の相対移動方向前方である。記録層１２の上述のような局所的昇温とともに、記録再生ヘッド２０に搭載されている記録素子２３により、記録層１２の記録磁性部１２ａにおける昇温領域に対して記録磁界Ｈを印加する。また、記録素子２３の生ずる記録磁界Ｈの向きを順次反転させることにより、記録磁性部１２ａにおいて、磁化方向が順次反転する複数の磁区（記録マーク）を磁気ディスク１０の周方向ないしトラック延び方向に連ねて形成する。このとき、記録磁界Ｈの方向を反転させるタイミングを制御することにより、各々に所定の長さで記録マークを形成する。磁気ディスク装置Ｘにおいては、以上のようにして、情報記録を実行する。
【００３２】
磁気ディスク１０では、上述のように記録磁性部１２ａに情報トラックが設定されるところ、記録層１２における、情報記録進行中であって局所的に順次加熱されている情報トラックＴ１と、これと隣り合う別の情報トラックＴ２との間には、情報トラックＴ１，Ｔ２（記録磁性部１２ａ）の熱伝導率の１００分の１以下の熱伝導率しか有さない非磁性部１２ｂが介在する。そのため、情報トラックＴ１の昇温を目的としてレーザ照射により情報トラックＴ１に供給された熱の、情報トラックＴ１から情報トラックＴ２への伝搬は、相当程度に抑制される。非磁性部１２ｂの熱伝導率は、上述のように、好ましくは１×１０2〜１×１０5ｅｒｇ/(ｓ・ｃｍ・ｄｅｇ)に設定されるところ、このような熱伝導率範囲は、非磁性部１２ｂにおける熱伝搬抑制能を確保するうえで好適である。
【００３３】
また、磁気ディスク１０では、情報記録時の記録層１２における、情報記録進行中であって記録磁界Ｈが順次印加される情報トラックＴ１と、これと隣り合う情報トラックＴ２とは、非磁性部１２ｂにより分断されている。したがって、情報トラックＴ１を対象として記録再生ヘッド２０の記録素子２３により印加される記録磁界Ｈの、情報トラックＴ２への影響、および、情報トラックＴ１に形成された記録マークと情報トラックＴ２に形成された記録マークとの間の磁気的な影響は、相当程度に減弱される。
【００３４】
したがって、磁気ディスク１０では、クロスライト現象の発生を防止または抑制してトラックの狭ピッチ化ないし高記録密度化を図ることが可能である。
【００３５】
加えて、磁気ディスク１０においては、情報記録進行中であって局所的に順次加熱されている情報トラックＴ１から情報トラックＴ２への熱伝搬が抑制されることを利用して、上述のように例えば図４（ａ）に示すような温度分布を記録層１２にて生じさせることが可能である。具体的には、磁気ディスク１０においては、各等温線内の形状がトラック幅方向にもトラック延び方向にも直線的な複数の等温線で表され且つトラック幅全体にわたっては温度変化が少ない温度分布を記録層１２において生じさせることが可能なのである。
【００３６】
従来の熱アシスト磁気記録媒体では、情報記録時の記録層において、例えば図５（ａ）に示すように、各々が円形の複数の等温線（内側ほど高温に対応する）で表される温度分布が記録層において生じる（図５では、左側が、磁気ディスクに対する加熱手段の相対移動方向前方である）。このような温度分布条件で情報トラックに対して順次磁界が印加されると、図５（ｂ）に示すように、いわゆる矢羽形状の記録マークＭ’が情報トラックＴ’に沿って順次形成されることが知られている。
【００３７】
これに対し、本発明に係る磁気ディスク１０では、情報記録時の記録層１２において、矩形に近似する複数の等温線で表される上述のような温度分布を生じさせることができるため、図４（ｂ）に示すように、矩形状の記録マークＭを情報トラックＴ１に沿って順次形成することができる。矩形状の記録マークＭは、従来の矢羽状記録マークＭ’よりも、マーク遷移幅ｄ（トラック延び方向における事実上の記録マーク長）を微小化するのに適し、従って、媒体の線記録密度（トラック延び方向における記録密度）を向上するうえで好適である。したがって、磁気ディスク１０は、記録マークを微小化して高記録密度化を図るうえで、好適である。
【００３８】
磁気ディスク１０においては、回転中心Ａに近い非磁性部１２ｂほど、幅太に設定してもよい。また、回転中心Ａに近い非磁性部１２ｂほど、小さな熱伝導率を設定してもよい。これらの構成は、非磁性部１２ｂの上述の熱伝搬抑制能について、回転中心Ａに近い非磁性部１２ｂほど高く設定するうえで、好適である。磁気ディスク装置Ｘにおける情報記録中、回転速度一定で磁気ディスク１０を回転させる場合、記録が実行される情報トラックＴ１が磁気ディスク１０の回転中心Ａに近いほど、当該情報トラックＴ１ないし記録層１２に対してレーザ照射により供給される単位時間あたりの熱エネルギは大きい。そのため、この場合には、非磁性部１２ｂの上述の熱伝搬抑制能については、回転中心Ａに近い非磁性部１２ｂほど高く設定するのが好ましいのである。
【実施例】
【００３９】
以下、本発明の実施例を比較例とともに説明する。
【００４０】
〔実施例１〕
上述の磁気ディスク１０の構成において以下の具体的条件を採用した磁気ディスクについて、シミュレーションソフトウエア（商品名：ＬＡＳＭＡ〔ラズマ〕，富士総合研究所製）を使用して、情報記録時（レーザ照射時）に記録層に生じる温度分布をシミュレーションした。
【００４１】
ディスク基板１１の熱伝導率は１×１０2ｅｒｇ/(ｓ・ｃｍ・ｄｅｇ)とした。記録層１２の記録磁性部１２ａについて、幅（情報トラック幅）は０.１４μｍとし、厚さは３０ｎｍとし、熱伝導率は１×１０6ｅｒｇ/(ｓ・ｃｍ・ｄｅｇ)とした。記録層１２の非磁性部１２ｂについて、幅は記録磁性部１２ａと同じ０.１４μｍとし、厚さは記録磁性部１２ａと同じ３０ｎｍとし、熱伝導率は１×１０4ｅｒｇ/(ｓ・ｃｍ・ｄｅｇ)とした。保護層１３については、厚さ５μｍのＳｉＮ膜とし、熱伝導率を１×１０2ｅｒｇ/(ｓ・ｃｍ・ｄｅｇ)とした。また、照射レーザの条件については、レーザ波長を４００ｎｍとし、レーザのビーム径を０.２μｍとし、レーザパワーを０.５８ｍＷとし、レーザ走査速度（周速）を６ｍ/ｓとした。
【００４２】
本実施例におけるシミュレーション結果を図６のグラフに示す。図６のグラフでは、横軸は、記録層における周方向位置を表し、縦軸は、レーザ照射を受ける記録磁性部１２ａ（情報トラック）の幅方向中心位置からの径方向距離を表し、等温線で表される温度分布において、領域Ｓ１は２０〜４０℃、領域Ｓ２は４０〜６０℃、領域Ｓ３は６０〜８０℃、領域Ｓ４は８０〜１００℃、領域Ｓ５は１００〜１２０℃、領域Ｓ６は１２０〜１４０℃、領域Ｓ７は１４０〜１６０℃、領域Ｓ８は１６０〜１８０℃、領域Ｓ９は１８０〜２００℃の温度領域を表す。また、図６のグラフ中の破線に沿った箇所の温度変化を図１０のグラフに示す。図１０のグラフでは、横軸は、情報トラックの幅方向中心位置からの相対距離を表し（相対距離１は情報トラックピッチ０.２８μｍに相当する）、縦軸は、相対温度を表し（相対温度１は２００℃に相当する）、本実施例における温度変化を線Ｅ１で表す。
【００４３】
〔実施例２〕
上述の磁気ディスク１０の構成において記録磁性部１２ａおよび非磁性部１２ｂの厚さを３０ｎｍに代えて８０ｎｍとし、且つ、照射レーザの条件についてレーザパワーを０.５８ｍＷに代えて１.３ｍＷとした以外は、実施例１と同様の条件で、情報記録時（レーザ照射時）に記録層に生じる温度分布をシミュレーションした。
【００４４】
本実施例におけるシミュレーション結果を図７のグラフに示す。図７のグラフでは、横軸は、記録層における周方向位置を表し、縦軸は、レーザ照射を受ける記録磁性部１２ａ（情報トラック）の幅方向中心位置からの径方向距離を表し、等温線で表される温度分布において、領域Ｓ１は２０〜４０℃、領域Ｓ２は４０〜６０℃、領域Ｓ３は６０〜８０℃、領域Ｓ４は８０〜１００℃、領域Ｓ５は１００〜１２０℃、領域Ｓ６は１２０〜１４０℃、領域Ｓ７は１４０〜１６０℃、領域Ｓ８は１６０〜１８０℃、領域Ｓ９は１８０〜２００℃、領域Ｓ１０は２００〜２８０℃の温度領域を表す。
【００４５】
〔比較例１〕
記録磁性部１２ａおよび非磁性部１２ｂの代わりに熱伝導率１×１０6ｅｒｇ/(ｓ・ｃｍ・ｄｅｇ)の記録磁性層（厚さ３０ｎｍの連続膜）を設定し、且つ、照射レーザの条件についてレーザパワーを０.５８ｍＷに代えて０.９６ｍＷとした以外は、実施例１と同様の条件で、情報記録時（レーザ照射時）に記録層に生じる温度分布をシミュレーションした。
【００４６】
本比較例におけるシミュレーション結果を図８のグラフに示す。図８のグラフでは、横軸は、記録層における周方向位置を表し、縦軸は、レーザ照射を受ける情報トラックの幅方向中心位置からの径方向距離を表し、等温線で表される温度分布において、領域Ｓ４は８０〜１００℃、領域Ｓ５は１００〜１２０℃、領域Ｓ６は１２０〜１４０℃、領域Ｓ７は１４０〜１６０℃、領域Ｓ８は１６０〜１８０℃、領域Ｓ９は１８０〜２００℃の温度領域を表す。また、図８のグラフ中の破線に沿った箇所の温度変化を、図１０のグラフにて線Ｃ１で示す。
【００４７】
〔比較例２〕
上述の磁気ディスク１０の構成において非磁性部１２ｂの熱伝導率を１×１０4ｅｒｇ/(ｓ・ｃｍ・ｄｅｇ)に代えて１×１０5ｅｒｇ/(ｓ・ｃｍ・ｄｅｇ)ｎｍとし、且つ、照射レーザの条件についてレーザパワーを０.５８ｍＷに代えて０.８ｍＷとした以外は、実施例１と同様の条件で、情報記録時（レーザ照射時）に記録層に生じる温度分布をシミュレーションした。
【００４８】
本比較例におけるシミュレーション結果は、比較例１のシミュレーション結果と略同様であった。すなわち、本比較例の記録層における温度分布は、比較例１の記録層における温度分布と略同様であった。本比較例についての、図８のグラフ中の破線に沿った箇所に相当する箇所の温度変化を、図１０のグラフにて線Ｃ２で示す。
【００４９】
〔評価〕
図８および図９に示されるように、比較例１,２の磁気ディスクでは、トラック横断方向に広がる温度分布、即ち、トラック横断方向における温度勾配が不当に緩やかな温度分布が生じる。このような磁気ディスクでは、情報記録時に隣の情報トラックの記録マークが消失ないし劣化するというクロスライト現象が生じやすい。これに対し、図６、図７、および図９に示されるように、実施例１，２の磁気ディスクでは、トラック横断方向への広がりが抑制された温度分布、即ち、トラック横断方向における温度勾配が急峻な温度分布が生じる。このような磁気ディスクは、クロスライト現象の発生を防止するのに適しており、従って、トラックの狭ピッチ化ないし高記録密度化を図るうえで好適である。
【００５０】
一方、実施例１，２におけるシミュレーション結果を比較すると、実施例１の磁気ディスクでは、実施例２の磁気ディスクよりも、より低いレーザパワーで、より好ましい温度分布を形成できることが判る。実施例１の磁気ディスクでは、実施例２の磁気ディスクに要求されるよりも低出力のレーザによって、情報トラックの幅方向中心付近にて実施例２の磁気ディスクと同程度の温度を実現することができる。また、実施例２の磁気ディスクにおいては、記録磁性部１２ａと非磁性部１２ｂの境界付近が過度に昇温するのに対し、実施例１の磁気ディスクでは、記録磁性部１２ａと非磁性部１２ｂの境界付近にてそのような過度の昇温は生じない。このような差異は、実施例１，２における記録磁性部１２ａの厚さの相違に起因する。実施例１，２のシミュレーション結果から、記録磁性部１２ａの厚さについては、８０ｎｍ（実施例２）よりも３０ｎｍ（実施例１）程度の方が好ましいことが判る。
【００５１】
以上のまとめとして、本発明の構成およびそのバリエーションを以下に付記として列挙する。
【００５２】
（付記１）記録層を有して情報記録時に回転動作を伴う熱アシスト磁気記録媒体であって、
前記記録層は、並列して前記回転動作の回転中心まわりを延びる複数条の記録磁性部と、隣り合う記録磁性部の間に介在する非磁性部とを含み、
前記非磁性部の熱伝導率は、前記記録磁性部の熱伝導率の１００分の１以下である、熱アシスト磁気記録媒体。
（付記２）前記非磁性部の熱伝導率は、１×１０2〜１×１０5ｅｒｇ/(ｓ・ｃｍ・ｄｅｇ)である、付記１に記載の熱アシスト磁気記録媒体。
（付記３）前記非磁性部は不透明である、付記１または２に記載の熱アシスト磁気記録媒体。
（付記４）前記記録磁性部の厚さは７０μｍ以下である、付記１から３のいずれか一つに記載の熱アシスト磁気記録媒体。
（付記５）前記回転中心に近い非磁性部ほど幅太である、付記１から４のいずれか一つに記載の熱アシスト磁気記録媒体。
（付記６）前記回転中心に近い非磁性部ほど小さな熱伝導率を有する、付記１から５のいずれか一つに記載の熱アシスト磁気記録媒体。
（付記７）付記１から６のいずれか一つに記載の熱アシスト磁気記録媒体と、
前記熱アシスト磁気記録媒体に磁界を印加するための磁界印加手段と、
前記熱アシスト磁気記録媒体を局所的に加熱するための加熱手段と、を備える熱アシスト磁気記録装置。
【図面の簡単な説明】
【００５３】
【図１】本発明に係る磁気ディスク装置の部分構成を表す。
【図２】図１に示す磁気ディスクの部分拡大断面図であり、磁気ディスクについては、その所定の径方向断面を表す。
【図３】図１に示す磁気ディスクの他の部分拡大断面図であり、磁気ディスクについては、その所定の周方向断面を表す。
【図４】（ａ）は、図１に示す磁気ディスクの情報記録時に記録層に生ずる温度分布の模式図であり、（ｂ）は、図１に示す磁気ディスクの情報トラックに沿って順次形成された記録マークを模式的に表す。
【図５】（ａ）は、従来の熱アシスト磁気ディスクの情報記録時に記録層に生ずる温度分布の模式図であり、（ｂ）は、従来の熱アシスト磁気ディスクの情報トラックに沿って順次形成された記録マークを模式的に表す。
【図６】実施例１における記録層の温度分布を表す。
【図７】実施例２における記録層の温度分布を表す。
【図８】比較例１における記録層の温度分布を表す。
【図９】実施例１および比較例１，２における各記録層の温度分布を表す。
【符号の説明】
【００５４】
Ｘ      磁気ディスク装置
１０      磁気ディスク
１１      ディスク基板
１２      記録層
１２ａ      記録磁性部
１２ｂ      非磁性部
１３      保護層
２０      記録再生ヘッド
２２      集光レンズ
２３      記録素子
２４      再生素子
Ｔ１，Ｔ２，Ｔ’      情報トラック
Ａ      回転中心
Ｌ      レーザ
Ｈ      記録磁界
Ｍ，Ｍ’      記録マーク
ｄ      マーク遷移幅
【図１】
2007134004.tif 000003
【図２】
2007134004.tif 000004
【図３】
2007134004.tif 000005
【図４】
2007134004.tif 000006
【図５】
2007134004.tif 000007
【図６】
2007134004.tif 000008
【図７】
2007134004.tif 000009
【図８】
2007134004.tif 000010
【図９】
2007134004.tif 000011